【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１のノードにおいてユーザ機器（ＵＥ）についてのデータを受信することと、
前記ＵＥについてのパケットを生成するために、前記第１のノードにおいて前記受信したデータを処理することと、
第１のフローと第２のフローとを備える複数のフローに前記パケットを分離することと、
前記第１のフロー、または前記ＵＥ、あるいはその両方に対して適用可能な構成に基づいて、前記第１のフロー内の前記パケットを前記ＵＥに送るのに使用するための、少なくとも１つのキャリアの第１のセット上のリソースを決定することと、
少なくとも１つのキャリアの前記第１のセット上の前記決定されたリソースを使用して、前記第１のノードから前記ＵＥに前記第１のフロー内のパケットを送ることと、
少なくとも１つのキャリアの第２のセットを介する前記ＵＥへの送信のために前記第１のノードから第２のノードに前記第２のフロー内のパケットを転送することと
を備え、少なくとも１つのキャリアの前記第１のおよび第２のセットは、前記ＵＥのために構成された複数のキャリアに基づいて決定される、
方法。
【請求項２】
ｉ）前記受信したデータを前記処理することは、前記ＵＥについてのＰＤＣＰパケットを生成するために、前記受信したデータをパケットデータ収束プロトコル（ＰＤＣＰ）について処理することを備え、前記第２のフロー内のパケットを前記転送することは、前記第２のフロー内のＰＤＣＰパケットを前記第１のノードから前記第２のノードに転送することを備える、
ｉｉ）前記受信したデータを前記処理することは、前記ＵＥについての無線リンク制御（ＲＬＣ）パケットを生成するために、前記受信したデータをパケットデータ収束プロトコル（ＰＤＣＰ）およびＲＬＣについて処理することを備え、前記第２のフロー内のパケットを前記転送することは、前記第２のフロー内のＲＬＣパケットを前記第１のノードから前記第２のノードに転送することを備える、
ｉｉｉ）前記第１のセットおよび前記第２のセットは非オーバーラップであり、別個のキャリアを含み、前記第１のセット内のキャリアが前記第２のセット内に含まれない、
ｉｖ）前記第１のセットおよび前記第２のセットはオーバーラップし、前記第１のセットと前記第２のセットの両方の中に存在する少なくとも１つの共通キャリアを含む、
ｖ）前記第１のノードおよび前記第２のノードは、広域ネットワーク（ＷＡＮ）内の２つの基地局に対応する、
ｖｉ）前記第１のノードは、広域ネットワーク（ＷＡＮ）内の基地局に対応し、前記第２のノードは、ワイヤレスローカルエリアネットワーク（ＷＬＡＮ）内のアクセスポイントに対応する、
以上のうちの１つをさらに備える、請求項１に記載の方法。
【請求項３】
オプションｉ）、前記第１のフロー内の前記パケットを前記送ることは、少なくとも１つのキャリアの前記第１のセットにマッピングされる前記第１のフロー内のＰＤＣＰパケットを備える少なくとも１つのダウンリンク信号を生成するために、前記第１のフロー内の前記ＰＤＣＰパケットを無線リンク制御（ＲＬＣ）、メディアアクセス制御（ＭＡＣ）、および物理レイヤ（ＰＨＹ）について処理することを備える、
請求項２に記載の方法。
【請求項４】
オプションｉｉ）、前記第１のフロー内の前記パケットを前記送ることは、少なくとも１つのキャリアの前記第１のセットにマッピングされる前記第１のフロー内のＲＬＣパケットを備える少なくとも１つのダウンリンク信号を生成するために、前記第１のフロー内の前記ＲＬＣパケットをメディアアクセス制御（ＭＡＣ）および物理レイヤ（ＰＨＹ）について処理することを備える、
請求項２に記載の方法。
【請求項５】
ワイヤレス通信のための装置であって、
第１のノードにおいてユーザ機器（ＵＥ）についてのデータを受信するための手段と、
前記ＵＥについてのパケットを生成するために、前記第１のノードにおいて前記受信したデータを処理するための手段と、
第１のフローと第２のフローとを備える複数のフローに前記パケットを分離するための手段と、
前記第１のフロー、または前記ＵＥ、あるいはその両方に対して適用可能な構成に基づいて、前記第１のフロー内の前記パケットを前記ＵＥに送るのに使用するための、少なくとも１つのキャリアの第１のセット上のリソースを決定するための手段と、
少なくとも１つのキャリアの前記第１のセット上の前記決定されたリソースを使用して、前記第１のノードから前記ＵＥに前記第１のフロー内のパケットを送るための手段と、
少なくとも１つのキャリアの第２のセットを介する前記ＵＥへの送信のために前記第１のノードから第２のノードに前記第２のフロー内のパケットを転送するための手段と
を備え、少なくとも１つのキャリアの前記第１のおよび第２のセットは、前記ＵＥのために構成された複数のキャリアに基づいて決定される、
装置。
【請求項６】
ワイヤレス通信のための方法であって、
少なくとも１つのキャリアの第１のセットを介して第１のノードからユーザ機器（ＵＥ）に送られた第１のフロー内のパケットを受信すること、前記パケットは、前記第１のフロー、または前記ＵＥ、あるいはその両方に対して適用可能な構成に基づいて決定された少なくとも１つのキャリアの前記第１のセット上のリソースを使用して、前記第１のフロー内で前記第１のノードから送られる、と、
少なくとも１つのキャリアの第２のセットを介して第２のノードから前記ＵＥに送られた第２のフロー内のパケットを受信すること、前記第２のフロー内の前記パケットは、前記第１のノードによって生成され、前記第２のノードに転送され、少なくとも１つのキャリアの前記第１のおよび第２のセットは、前記ＵＥのために構成された複数のキャリアに基づいて決定される、と
前記第１のフロー内の前記パケットと前記第２のフロー内の前記パケットとをアグリゲートすることと、
前記ＵＥについてのデータを得るために、前記アグリゲートしたパケットを処理することと
を備える、方法。
【請求項７】
前記アグリゲートしたパケットは、無線リンク制御（ＲＬＣ）パケットを備え、前記アグリゲートしたパケットを前記処理することは、前記ＵＥについての前記データを得るために、前記ＲＬＣパケットをパケットデータ収束プロトコル（ＰＤＣＰ）について処理することを備える、
請求項６に記載の方法。
【請求項８】
前記第１のフロー内のＲＬＣパケットを得るために、前記第１のノードからの少なくとも１つの第１のダウンリンク信号を物理レイヤ（ＰＨＹ）、メディアアクセス制御（ＭＡＣ）、およびＲＬＣについて処理することと、
前記第２のフロー内のＲＬＣパケットを得るために、前記第２のノードからの少なくとも１つの第２のダウンリンク信号をＰＨＹ、ＭＡＣ、およびＲＬＣについて処理することと
をさらに備える、請求項７に記載の方法。
【請求項９】
ワイヤレス通信のための装置であって、
少なくとも１つのキャリアの第１のセットを介して第１のノードからユーザ機器（ＵＥ）に送られた第１のフロー内のパケットを受信するための手段、前記パケットは、前記第１のフロー、または前記ＵＥ、あるいはその両方に対して適用可能な構成に基づいて決定された少なくとも１つのキャリアの前記第１のセット上のリソースを使用して、前記第１のフロー内で前記第１のノードから送られる、と、
少なくとも１つのキャリアの第２のセットを介して第２のノードから前記ＵＥに送られた第２のフロー内のパケットを受信するための手段、前記第２のフロー内の前記パケットは、前記第１のノードによって生成され、前記第２のノードに転送され、少なくとも１つのキャリアの前記第１のおよび第２のセットは、前記ＵＥのために構成された複数のキャリアに基づいて決定される、と、
前記第１のフロー内の前記パケットと前記第２のフロー内の前記パケットとをアグリゲートするための手段と、
前記ＵＥについてのデータを得るために、前記アグリゲートしたパケットを処理するための手段と
を備える、装置。
【請求項１０】
ワイヤレス通信のための方法であって、
アップリンク上での送信のために、ユーザ機器（ＵＥ）においてデータを受信することと、
パケットを生成するために、前記受信したデータを処理することと、
第１のフローと第２のフローとを備える複数のフローに前記パケットを分離することと、
前記第１のフロー、または前記ＵＥ、あるいはその両方に対して適用可能な構成に基づいて、前記第１のフロー内の前記パケットを第１のノードに送るのに使用するための、少なくとも１つのキャリアの第１のセット上のリソースを決定することと、
少なくとも１つのキャリアの前記第１のセット上の前記決定されたリソースを使用して、前記ＵＥから前記第１のノードに前記第１のフロー内のパケットを送ることと、
少なくとも１つのキャリアの第２のセットを介して、前記ＵＥから第２のノードに前記第２のフロー内のパケットを送ること、前記第２のフロー内の前記パケットが前記第２のノードから前記第１のノードに転送され、少なくとも１つのキャリアの前記第１のおよび第２のセットは、前記ＵＥのために構成された複数のキャリアに基づいて決定される、と、
を備える、方法。
【請求項１１】
前記受信したデータを前記処理することは、ＰＤＣＰパケットを生成するために、前記受信したデータをパケットデータ収束プロトコル（ＰＤＣＰ）について処理することを備え、複数のフローに前記パケットを前記分離することは、前記第１のフロー内のＰＤＣＰパケットと、前記第２のフロー内のＰＤＣＰパケットとに前記ＰＤＣＰパケットを分離することを備える、
請求項１０に記載の方法。
【請求項１２】
ワイヤレス通信のための装置であって、
アップリンク上での送信のために、ユーザ機器（ＵＥ）においてデータを受信するための手段と、
パケットを生成するために、前記受信したデータを処理するための手段と、
第１のフローと第２のフローとを備える複数のフローに前記パケットを分離するための手段と、
前記第１のフロー、または前記ＵＥ、あるいはその両方に対して適用可能な構成に基づいて、前記第１のフロー内の前記パケットを第１のノードに送るのに使用するための、少なくとも１つのキャリアの第１のセット上のリソースを決定するための手段と、
少なくとも１つのキャリアの前記第１のセット上の前記決定されたリソースを使用して、前記ＵＥから前記第１のノードに前記第１のフロー内のパケットを送るための手段と、
少なくとも１つのキャリアの第２のセットを介して、前記ＵＥから第２のノードに前記第２のフロー内のパケットを送るための手段と
を備え、前記第２のフロー内の前記パケットが前記第２のノードから前記第１のノードに転送され、少なくとも１つのキャリアの前記第１のおよび第２のセットは、前記ＵＥのために構成された複数のキャリアに基づいて決定される、
装置。
【請求項１３】
ワイヤレス通信のための方法であって、
少なくとも１つのキャリアの第１のセットを介してユーザ機器（ＵＥ）から第１のノードに送られた第１のフロー内のパケットを受信すること、前記パケットは、前記第１のフロー、または前記ＵＥ、あるいはその両方に対して適用可能な構成に基づいて決定された少なくとも１つのキャリアの前記第１のセット上のリソースを使用して、前記第１のフロー内で前記ＵＥから送られる、と、
少なくとも１つのキャリアの第２のセットを介して前記ＵＥから第２のノードに送られた第２のフロー内のパケットを受信すること、前記第２のフロー内の前記パケットが処理され、次いで前記第２のノードから前記第１のノードに転送され、少なくとも１つのキャリアの前記第１のおよび第２のセットは、前記ＵＥのために構成された複数のキャリアに基づいて決定される、と、
前記第１のフロー内の前記パケットと前記第２のフロー内の前記パケットとをアグリゲートすることと、
前記ＵＥからのデータを得るために、前記アグリゲートしたパケットを処理することと
を備える、方法。
【請求項１４】
ワイヤレス通信のための装置であって、
少なくとも１つのキャリアの第１のセットを介してユーザ機器（ＵＥ）から第１のノードに送られた第１のフロー内のパケットを受信するための手段、前記パケットは、前記第１のフロー、または前記ＵＥ、あるいはその両方に対して適用可能な構成に基づいて決定された少なくとも１つのキャリアの前記第１のセット上のリソースを使用して、前記第１のフロー内で前記ＵＥから送られる、と、
少なくとも１つのキャリアの第２のセットを介して前記ＵＥから第２のノードに送られた第２のフロー内のパケットを受信するための手段、前記第２のフロー内の前記パケットは、処理され、次いで前記第２のノードから前記第１のノードに転送され、少なくとも１つのキャリアの前記第１のおよび第２のセットは、前記ＵＥのために構成された複数のキャリアに基づいて決定される、と、
前記第１のフロー内の前記パケットと前記第２のフロー内の前記パケットとをアグリゲートするための手段と、
前記ＵＥからのデータを得るために、前記アグリゲートしたパケットを処理するための手段と
を備える、装置。
【請求項１５】
少なくとも１つのプロセッサに、少なくとも１つのキャリアの第１のセットを介してユーザ機器（ＵＥ）から第１のノードに送られた第１のフロー内のパケットを受信させるためのコード、前記パケットは、前記第１のフロー、または前記ＵＥ、あるいはその両方に対して適用可能な構成に基づいて決定された少なくとも１つのキャリアの前記第１のセット上のリソースを使用して、前記第１のフロー内で前記ＵＥから送られる、と、
前記少なくとも１つのプロセッサに、少なくとも１つのキャリアの第２のセットを介して前記ＵＥから第２のノードに送られた第２のフロー内のパケットを受信させるためのコード、前記第２のフロー内の前記パケットは、処理され、次いで前記第２のノードから前記第１のノードに転送され、少なくとも１つのキャリアの前記第１のおよび第２のセットは、前記ＵＥのために構成された複数のキャリアに基づいて決定される、と、
前記少なくとも１つのプロセッサに、前記第１のフロー内の前記パケットと前記第２のフロー内の前記パケットとをアグリゲートさせるためのコードと、
前記少なくとも１つのプロセッサに、前記ＵＥからのデータを得るために、前記アグリゲートしたパケットを処理させるためのコードと
を備える非一時的コンピュータ可読媒体を備える、
コンピュータプログラム製品。
【手続補正２】
【補正対象書類名】明細書
【補正対象項目名】０１０２
【補正方法】変更
【補正の内容】
【０１０２】
[00100]開示される実施形態の先の説明は、当業者が本開示を作成または使用することを可能にするために提供される。本開示に対する様々な修正は当業者には容易に明らかとなり、本明細書で定義される一般原理は、本開示の精神または範囲から逸脱することなく他の変形形態に適用され得る。したがって、本開示は、本明細書に示される例および設計に限定されるものではなく、本明細書で開示される原理および新規な特徴と一致する最も広い範囲が与えられるべきである。
以下に本願の出願当初の特許請求の範囲に記載された発明を付記する。
[Ｃ１]  ワイヤレス通信のための方法であって、
第１のノードにおいてユーザ機器（ＵＥ）についてのデータを受信することと、
前記ＵＥについてのパケットを生成するために、前記第１のノードにおいて前記受信したデータを処理することと、
第１のフローと第２のフローとを備える複数のフローに前記パケットを分離することと、
少なくとも１つのキャリアの第１のセットを介して、前記第１のノードから前記ＵＥに前記第１のフロー内のパケットを送ることと、
少なくとも１つのキャリアの第２のセットを介する前記ＵＥへの送信のために前記第１のノードから第２のノードに前記第２のフロー内のパケットを転送することと
を備え、前記少なくとも１つのキャリアの第１のおよび第２のセットは、前記ＵＥのために構成された複数のキャリアに基づいて決定される、
方法。
[Ｃ２]  前記受信したデータを前記処理することは、前記ＵＥについてのＰＤＣＰパケットを生成するために、前記受信したデータをパケットデータ収束プロトコル（ＰＤＣＰ）について処理することを備え、前記第２のフロー内のパケットを前記転送することは、前記第２のフロー内のＰＤＣＰパケットを前記第１のノードから前記第２のノードに転送することを備える、
Ｃ１に記載の方法。
[Ｃ３]  前記第１のフロー内の前記パケットを前記送ることは、少なくとも１つのキャリアの前記第１のセットにマッピングされる前記第１のフロー内のＰＤＣＰパケットを備える少なくとも１つのダウンリンク信号を生成するために、前記第１のフロー内の前記ＰＤＣＰパケットを無線リンク制御（ＲＬＣ）、メディアアクセス制御（ＭＡＣ）、および物理レイヤ（ＰＨＹ）について処理することを備える、
Ｃ２に記載の方法。
[Ｃ４]  前記受信したデータを前記処理することは、前記ＵＥについてのＲＬＣパケットを生成するために、前記受信したデータをパケットデータ収束プロトコル（ＰＤＣＰ）および無線リンク制御（ＲＬＣ）について処理することを備え、前記第２のフロー内のパケットを前記転送することは、前記第２のフロー内のＲＬＣパケットを前記第１のノードから前記第２のノードに転送することを備える、
Ｃ１に記載の方法。
[Ｃ５]  前記第１のフロー内の前記パケットを前記送ることは、少なくとも１つのキャリアの前記第１のセットにマッピングされる前記第１のフロー内の前記ＲＬＣパケットを備える少なくとも１つのダウンリンク信号を生成するために、前記第１のフロー内のＲＬＣパケットをメディアアクセス制御（ＭＡＣ）および物理レイヤ（ＰＨＹ）について処理することを備える、
Ｃ４に記載の方法。
[Ｃ６]  前記第１のセットおよび前記第２のセットが非オーバーラップであり、別個のキャリアを含み、前記第１のセット内のキャリアが前記第２のセット内に含まれない、
Ｃ１に記載の方法。
[Ｃ７]  前記第１のセットおよび前記第２のセットは、オーバーラップし、前記第１のセットと前記第２のセットの両方の中に存在する少なくとも１つの共通キャリアを含む、
Ｃ１に記載の方法。
[Ｃ８]  前記第１のフロー、または前記ＵＥ、あるいはその両方に対して適用可能な構成に基づいて、前記第１のフロー内の前記パケットを前記ＵＥに送るのに使用するための、少なくとも１つのキャリアの前記第１のセット上のリソースを決定することをさらに備える、
Ｃ１に記載の方法。
[Ｃ９]  前記第１のノードおよび前記第２のノードは、広域ネットワーク（ＷＡＮ）内の２つの基地局に対応する、
Ｃ１に記載の方法。
[Ｃ１０]  前記第１のノードは、広域ネットワーク（ＷＡＮ）内の基地局に対応し、前記第２のノードは、ワイヤレスローカルエリアネットワーク（ＷＬＡＮ）内のアクセスポイントに対応する、
Ｃ１に記載の方法。
[Ｃ１１]  ワイヤレス通信のための装置であって、
第１のノードにおいてユーザ機器（ＵＥ）についてのデータを受信することと、
前記ＵＥについてのパケットを生成するために、前記第１のノードにおいて前記受信したデータを処理することと、
第１のフローと第２のフローとを備える複数のフローに前記パケットを分離することと、
少なくとも１つのキャリアの第１のセットを介して、前記第１のノードから前記ＵＥに前記第１のフロー内のパケットを送ることと、
少なくとも１つのキャリアの第２のセットを介する前記ＵＥへの送信のために前記第１のノードから第２のノードに前記第２のフロー内のパケットを転送することと
を行うように構成された少なくとも１つのプロセッサを備え、少なくとも１つのキャリアの前記第１のおよび第２のセットが、前記ＵＥのために構成された複数のキャリアに基づいて決定される、
装置。
[Ｃ１２]  前記受信したデータを処理することを行うための前記少なくとも１つのプロセッサの前記構成は、前記ＵＥについてのＰＤＣＰパケットを生成するために、前記受信したデータをパケットデータ収束プロトコル（ＰＤＣＰ）について処理することを行うための構成を備え、前記第２のフロー内のパケットを転送することを行うための前記少なくとも１つのプロセッサの前記構成は、前記第２のフロー内のＰＤＣＰパケットを前記第１のノードから前記第２のノードに転送することを行うための構成を備える、
Ｃ１１に記載の装置。
[Ｃ１３]  前記第１のフロー内の前記パケットを送ることを行うための前記少なくとも１つのプロセッサの前記構成は、少なくとも１つのキャリアの前記第１のセットにマッピングされる前記第１のフロー内のＰＤＣＰパケットを備える少なくとも１つのダウンリンク信号を生成するために、前記第１のフロー内の前記ＰＤＣＰパケットを無線リンク制御（ＲＬＣ）、メディアアクセス制御（ＭＡＣ）、および物理レイヤ（ＰＨＹ）について処理することを行うための構成を備える、
Ｃ１２に記載の装置。
[Ｃ１４]  前記受信したデータを処理することを行うための前記少なくとも１つのプロセッサの前記構成は、前記ＵＥについてのＲＬＣパケットを生成するために、前記受信したデータをパケットデータ収束プロトコル（ＰＤＣＰ）および無線リンク制御（ＲＬＣ）について処理することを行うための構成を備え、前記第２のフロー内の前記パケットを転送することを行うための前記少なくとも１つのプロセッサの前記構成は、前記第２のフロー内のＲＬＣパケットを前記第１のノードから前記第２のノードに転送することを行うための構成を備える、
Ｃ１１に記載の装置。
[Ｃ１５]  前記第１のセットおよび前記第２のセットは、非オーバーラップであり、別個のキャリアを含み、前記第１のセット内のキャリアが前記第２のセット内に含まれない、
Ｃ１１に記載の装置。
[Ｃ１６]  前記第１のセットおよび前記第２のセットは、オーバーラップし、前記第１のセットと前記第２のセットの両方の中に存在する少なくとも１つの共通キャリアを含む、
Ｃ１１に記載の装置。
[Ｃ１７]  前記少なくとも１つのプロセッサは、前記第１のフロー、または前記ＵＥ、あるいはその両方に対して適用可能な構成に基づいて、前記第１のフロー内の前記パケットを前記ＵＥに送るのに使用するための、少なくとも１つのキャリアの前記第１のセット上のリソースを決定することを行うようにさらに構成される、
Ｃ１１に記載の装置。
[Ｃ１８]  ワイヤレス通信のための装置であって、
第１のノードにおいてユーザ機器（ＵＥ）についてのデータを受信するための手段と、
前記ＵＥについてのパケットを生成するために、前記第１のノードにおいて前記受信したデータを処理するための手段と、
第１のフローと第２のフローとを備える複数のフローに前記パケットを分離するための手段と、
少なくとも１つのキャリアの第１のセットを介して、前記第１のノードから前記ＵＥに前記第１のフロー内のパケットを送るための手段と、
少なくとも１つのキャリアの第２のセットを介する前記ＵＥへの送信のために前記第１のノードから第２のノードに前記第２のフロー内のパケットを転送するための手段と
を備え、少なくとも１つのキャリアの前記第１のおよび第２のセットは、前記ＵＥのために構成された複数のキャリアに基づいて決定される、
装置。
[Ｃ１９]  少なくとも１つのプロセッサに、第１のノードにおいてユーザ機器（ＵＥ）についてのデータを受信させるためのコードと、
前記少なくとも１つのプロセッサに、前記ＵＥについてのパケットを生成するために、前記第１のノードにおいて前記受信したデータを処理させるためのコードと、
前記少なくとも１つのプロセッサに、第１のフローと第２のフローとを備える複数のフローに前記パケットを分離させるためのコードと、
前記少なくとも１つのプロセッサに、少なくとも１つのキャリアの第１のセットを介して、前記第１のノードから前記ＵＥに前記第１のフロー内のパケットを送らせるためのコードと、
前記少なくとも１つのプロセッサに、少なくとも１つのキャリアの第２のセットを介する前記ＵＥへの送信のために前記第１のノードから第２のノードに前記第２のフロー内のパケットを転送させるためのコードと
を備える、非一時的コンピュータ可読媒体を備え、少なくとも１つのキャリアの前記第１のおよび第２のセットは、前記ＵＥのために構成された複数のキャリアに基づいて決定される、
コンピュータプログラム製品。
[Ｃ２０]  ワイヤレス通信のための方法であって、
少なくとも１つのキャリアの第１のセットを介して第１のノードからユーザ機器（ＵＥ）に送られた第１のフロー内のパケットを受信することと、
少なくとも１つのキャリアの第２のセットを介して第２のノードから前記ＵＥに送られた第２のフロー内のパケットを受信すること、前記第２のフロー内の前記パケットは、前記第１のノードによって生成され、前記第２のノードに転送され、少なくとも１つのキャリアの前記第１および第２のセットが、前記ＵＥのために構成された複数のキャリアに基づいて決定される、と
前記第１のフロー内の前記パケットと前記第２のフロー内の前記パケットとをアグリゲートすることと、
前記ＵＥについてのデータを得るために、前記アグリゲートしたパケットを処理することと
を備える、方法。
[Ｃ２１]  前記アグリゲートしたパケットは、無線リンク制御（ＲＬＣ）パケットを備え、前記アグリゲートしたパケットを前記処理することは、前記ＵＥについての前記データを得るために、前記ＲＬＣパケットをパケットデータ収束プロトコル（ＰＤＣＰ）について処理することを備える、
Ｃ２０に記載の方法。
[Ｃ２２]  前記第１のフロー内のＲＬＣパケットを得るために、前記第１のノードからの少なくとも１つの第１のダウンリンク信号を物理レイヤ（ＰＨＹ）、メディアアクセス制御（ＭＡＣ）、およびＲＬＣについて処理することと、
前記第２のフロー内のＲＬＣパケットを得るために、前記第２のノードからの少なくとも１つの第２のダウンリンク信号をＰＨＹ、ＭＡＣ、およびＲＬＣについて処理することと
をさらに備える、Ｃ２１に記載の方法。
[Ｃ２３]  前記アグリゲートしたパケットがメディアアクセス制御（ＭＡＣ）パケットを備え、前記アグリゲートしたパケットを前記処理することは、前記ＵＥについての前記データを得るために、前記ＭＡＣパケットを無線リンク制御（ＲＬＣ）およびパケットデータ収束プロトコル（ＰＤＣＰ）について処理することを備える、
Ｃ２０に記載の方法。
[Ｃ２４]  前記第１のフロー内のＭＡＣパケットを得るために、前記第１のノードからの少なくとも１つの第１のダウンリンク信号を物理レイヤ（ＰＨＹ）およびＭＡＣについて処理することと、
前記第２のフロー内のＭＡＣパケットを得るために、前記第２のノードからの少なくとも１つの第２のダウンリンク信号をＰＨＹおよびＭＡＣについて処理することと
をさらに備える、Ｃ２３に記載の方法。
[Ｃ２５]  ワイヤレス通信のための装置であって、
少なくとも１つのキャリアの第１のセットを介して第１のノードからユーザ機器（ＵＥ）に送られた第１のフロー内のパケットを受信することと、
少なくとも１つのキャリアの第２のセットを介して第２のノードから前記ＵＥに送られた第２のフロー内のパケットを受信すること、前記第２のフロー内の前記パケットは、前記第１のノードによって生成され、前記第２のノードに転送され、少なくとも１つのキャリアの前記第１および第２のセットは、前記ＵＥのために構成された複数のキャリアに基づいて決定される、と、
前記第１のフロー内の前記パケットと前記第２のフロー内の前記パケットとをアグリゲートすることと、
前記ＵＥについてのデータを得るために、前記アグリゲートしたパケットを処理することと
を行うように構成された少なくとも１つのプロセッサを備える、
装置。
[Ｃ２６]  前記アグリゲートしたパケットは、無線リンク制御（ＲＬＣ）パケットを備え、前記アグリゲートしたパケットを処理することを行うための前記少なくとも１つのプロセッサの前記構成は、前記ＵＥについての前記データを得るために、前記ＲＬＣパケットをパケットデータ収束プロトコル（ＰＤＣＰ）について処理することを行うための構成を備える、
Ｃ２５に記載の装置。
[Ｃ２７]  前記少なくとも１つのプロセッサは、
前記第１のフロー内のＲＬＣパケットを得るために、前記第１のノードからの少なくとも１つの第１のダウンリンク信号を物理レイヤ（ＰＨＹ）、メディアアクセス制御（ＭＡＣ）、およびＲＬＣについて処理することと、
前記第２のフロー内のＲＬＣパケットを得るために、前記第２のノードからの少なくとも１つの第２のダウンリンク信号をＰＨＹ、ＭＡＣ、およびＲＬＣについて処理することと
を行うようにさらに構成される、Ｃ２６に記載の装置。
[Ｃ２８]  前記アグリゲートしたパケットは、メディアアクセス制御（ＭＡＣ）パケットを備え、前記アグリゲートしたパケットを処理することを行うための前記少なくとも１つのプロセッサの前記構成は、前記ＵＥについての前記データを得るために、前記ＭＡＣパケットを無線リンク制御（ＲＬＣ）およびパケットデータ収束プロトコル（ＰＤＣＰ）について処理することを行うための構成を備える、
Ｃ２５に記載の装置。
[Ｃ２９]  前記少なくとも１つのプロセッサは、
前記第１のフロー内のＭＡＣパケットを得るために、前記第１のノードからの少なくとも１つの第１のダウンリンク信号を物理レイヤ（ＰＨＹ）およびＭＡＣについて処理することと、
前記第２のフロー内のＭＡＣパケットを得るために、前記第２のノードからの少なくとも１つの第２のダウンリンク信号をＰＨＹおよびＭＡＣについて処理することと
を行うようにさらに構成される、Ｃ２８に記載の装置。
[Ｃ３０]  ワイヤレス通信のための装置であって、
少なくとも１つのキャリアの第１のセットを介して第１のノードからユーザ機器（ＵＥ）に送られた第１のフロー内のパケットを受信するための手段と、
少なくとも１つのキャリアの第２のセットを介して第２のノードから前記ＵＥに送られた第２のフロー内のパケットを受信するための手段、前記第２のフロー内の前記パケットは、前記第１のノードによって生成され、前記第２のノードに転送され、少なくとも１つのキャリアの前記第１および第２のセットは、前記ＵＥのために構成された複数のキャリアに基づいて決定される、と、
前記第１のフロー内の前記パケットと前記第２のフロー内の前記パケットとをアグリゲートするための手段と、
前記ＵＥについてのデータを得るために、前記アグリゲートしたパケットを処理するための手段と
を備える、装置。
[Ｃ３１]  少なくとも１つのプロセッサに、少なくとも１つのキャリアの第１のセットを介して第１のノードからユーザ機器（ＵＥ）に送られた第１のフロー内のパケットを受信させるためのコードと、
前記少なくとも１つのプロセッサに、少なくとも１つのキャリアの第２のセットを介して第２のノードから前記ＵＥに送られた第２のフロー内のパケットを受信させるためのコード、前記第２のフロー内の前記パケットは、前記第１のノードによって生成され、前記第２のノードに転送され、少なくとも１つのキャリアの前記第１および第２のセットは、前記ＵＥのために構成された複数のキャリアに基づいて決定される、と、
前記少なくとも１つのプロセッサに、前記第１のフロー内の前記パケットと前記第２のフロー内の前記パケットとをアグリゲートさせるためのコードと、
前記少なくとも１つのプロセッサに、前記ＵＥについてのデータを得るために、前記アグリゲートしたパケットを処理させるためのコードと
を備える、非一時的コンピュータ可読媒体を備える、
コンピュータプログラム製品。
[Ｃ３２]  ワイヤレス通信のための方法であって、
アップリンク上での送信のために、ユーザ機器（ＵＥ）においてデータを受信することと、
パケットを生成するために、前記受信したデータを処理することと、
第１のフローと第２のフローとを備える複数のフローに前記パケットを分離することと、
少なくとも１つのキャリアの第１のセットを介して、前記ＵＥから第１のノードに前記第１のフロー内のパケットを送ることと、
少なくとも１つのキャリアの第２のセットを介して、前記ＵＥから第２のノードに前記第２のフロー内のパケットを送ることと、前記第２のフロー内の前記パケットが前記第２のノードから前記第１のノードに転送され、少なくとも１つのキャリアの前記第１および第２のセットは、前記ＵＥのために構成された複数のキャリアに基づいて決定される、
を備える、方法。
[Ｃ３３]  前記受信したデータを前記処理することは、ＰＤＣＰパケットを生成するために、前記受信したデータをパケットデータ収束プロトコル（ＰＤＣＰ）について処理することを備え、複数のフローに前記パケットを前記分離することは、前記第１のフロー内のＰＤＣＰパケットと、前記第２のフロー内のＰＤＣＰパケットとに前記ＰＤＣＰパケットを分離することを備える、
Ｃ３２に記載の方法。
[Ｃ３４]  前記第１のフロー内の前記パケットを前記送ることは、少なくとも１つのキャリアの前記第１のセットにマッピングされる前記第１のフロー内の前記ＰＤＣＰパケットを備える少なくとも１つのアップリンク信号を生成するために、前記第１のフロー内の前記ＰＤＣＰパケットを無線リンク制御（ＲＬＣ）、メディアアクセス制御（ＭＡＣ）、および物理レイヤ（ＰＨＹ）について処理することを備え、前記第２のフロー内の前記パケットを前記送ることは、少なくとも１つのキャリアの前記第２のセットにマッピングされる前記第２のフロー内の前記ＰＤＣＰパケットを備える前記少なくとも１つのアップリンク信号を生成するために、前記第２のフロー内の前記ＰＤＣＰパケットをＲＬＣ、ＭＡＣ、およびＰＨＹについて処理することを備える、
Ｃ３３に記載の方法。
[Ｃ３５]  前記受信したデータを前記処理することは、ＲＬＣパケットを生成するために、前記受信したデータをパケットデータ収束プロトコル（ＰＤＣＰ）および無線リンク制御（ＲＬＣ）について処理することを備え、複数のフローに前記パケットを前記分離することは、前記第１のフロー内のＲＬＣパケットと、前記第２のフロー内のＲＬＣパケットとに前記ＲＬＣパケットを分離することを備える、
Ｃ３２に記載の方法。
[Ｃ３６]  前記第１のフロー内の前記パケットを前記送ることは、少なくとも１つのキャリアの前記第１のセットにマッピングされる前記第１のフロー内の前記ＲＬＣパケットを備える少なくとも１つのアップリンク信号を生成するために、前記第１のフロー内の前記ＲＬＣパケットをメディアアクセス制御（ＭＡＣ）および物理レイヤ（ＰＨＹ）について処理することを備え、前記第２のフロー内の前記パケットを前記送ることは、少なくとも１つのキャリアの前記第２のセットにマッピングされる前記第２のフロー内の前記ＲＬＣパケットを備える前記少なくとも１つのアップリンク信号を生成するために、前記第２のフロー内の前記ＲＬＣパケットをＭＡＣおよびＰＨＹについて処理することを備える、
Ｃ３５に記載の方法。
[Ｃ３７]  ワイヤレス通信のための装置であって、
アップリンク上での送信のために、ユーザ機器（ＵＥ）においてデータを受信することと、
パケットを生成するために、前記受信したデータを処理することと、
第１のフローと第２のフローとを備える複数のフローに前記パケットを分離することと、
少なくとも１つのキャリアの第１のセットを介して、前記ＵＥから第１のノードに前記第１のフロー内のパケットを送ることと、
少なくとも１つのキャリアの第２のセットを介して、前記ＵＥから第２のノードに前記第２のフロー内のパケットを送ることと
を行うように構成された少なくとも１つのプロセッサを備え、前記第２のフロー内の前記パケットは、前記第２のノードから前記第１のノードに転送され、少なくとも１つのキャリアの前記第１および第２のセットは、前記ＵＥのために構成された複数のキャリアに基づいて決定される、
装置。
[Ｃ３８]  前記受信したデータを処理することを行うための前記少なくとも１つのプロセッサの前記構成は、ＰＤＣＰパケットを生成するために、前記受信したデータをパケットデータ収束プロトコル（ＰＤＣＰ）について処理することを行うための構成を備え、複数のフローに前記パケットを分離することを行うための前記少なくとも１つのプロセッサの前記構成は、前記第１のフロー内のＰＤＣＰパケットと、前記第２のフロー内のＰＤＣＰパケットとに前記ＰＤＣＰパケットを分離することを行うための構成を備える、
Ｃ３７に記載の装置。
[Ｃ３９]  前記第１のフロー内の前記パケットを送ることを行うための前記少なくとも１つのプロセッサの前記構成は、少なくとも１つのキャリアの前記第１のセットにマッピングされる前記第１のフロー内の前記ＰＤＣＰパケットを備える少なくとも１つのアップリンク信号を生成するために、前記第１のフロー内の前記ＰＤＣＰパケットを無線リンク制御（ＲＬＣ）、メディアアクセス制御（ＭＡＣ）、および物理レイヤ（ＰＨＹ）について処理することを行うための構成を備え、前記第２のフロー内の前記パケットを送ることを行うための前記少なくとも１つのプロセッサの前記構成は、少なくとも１つのキャリアの前記第２のセットにマッピングされる前記第２のフロー内の前記ＰＤＣＰパケットを備える前記少なくとも１つのアップリンク信号を生成するために、前記第２のフロー内の前記ＰＤＣＰパケットをＲＬＣ、ＭＡＣ、およびＰＨＹについて処理することを行うための構成を備える、
Ｃ３８に記載の装置。
[Ｃ４０]  前記受信したデータを処理することを行うための前記少なくとも１つのプロセッサの前記構成は、ＲＬＣパケットを生成するために、前記受信したデータをパケットデータ収束プロトコル（ＰＤＣＰ）および無線リンク制御（ＲＬＣ）について処理することを行うための構成を備え、複数のフローに前記パケットを分離することを行うための前記少なくとも１つのプロセッサの前記構成は、前記第１のフロー内のＲＬＣパケットと、前記第２のフロー内のＲＬＣパケットとに前記ＲＬＣパケットを分離することを行うための構成を備える、
Ｃ３７に記載の装置。
[Ｃ４１]  前記第１のフロー内の前記パケットを送ることを行うための前記少なくとも１つのプロセッサの前記構成は、少なくとも１つのキャリアの前記第１のセットにマッピングされる前記第１のフロー内の前記ＲＬＣパケットを備える少なくとも１つのアップリンク信号を生成するために、前記第１のフロー内の前記ＲＬＣパケットをメディアアクセス制御（ＭＡＣ）および物理レイヤ（ＰＨＹ）について処理することを行うための構成を備え、前記第２のフロー内の前記パケットを送ることを行うための前記少なくとも１つのプロセッサの前記構成は、少なくとも１つのキャリアの前記第２のセットにマッピングされる前記第２のフロー内の前記ＲＬＣパケットを備える前記少なくとも１つのアップリンク信号を生成するために、前記第２のフロー内の前記ＲＬＣパケットをＭＡＣおよびＰＨＹについて処理することを行うための構成を備える、
Ｃ４０に記載の装置。
[Ｃ４２]  ワイヤレス通信のための装置であって、
アップリンク上での送信のために、ユーザ機器（ＵＥ）においてデータを受信するための手段と、
パケットを生成するために、前記受信したデータを処理するための手段と、
第１のフローと第２のフローとを備える複数のフローに前記パケットを分離するための手段と、
少なくとも１つのキャリアの第１のセットを介して、前記ＵＥから第１のノードに前記第１のフロー内のパケットを送るための手段と、
少なくとも１つのキャリアの第２のセットを介して、前記ＵＥから第２のノードに前記第２のフロー内のパケットを送るための手段と
を備え、前記第２のフロー内の前記パケットは、前記第２のノードから前記第１のノードに転送され、少なくとも１つのキャリアの前記第１および第２のセットは、前記ＵＥのために構成された複数のキャリアに基づいて決定される、
装置。
[Ｃ４３]  少なくとも１つのプロセッサに、アップリンク上での送信のために、ユーザ機器（ＵＥ）においてデータを受信させるためのコードと、
前記少なくとも１つのプロセッサに、パケットを生成するために、前記受信したデータを処理させるためのコードと、
前記少なくとも１つのプロセッサに、第１のフローと第２のフローとを備える複数のフローに前記パケットを分離させるためのコードと、
前記少なくとも１つのプロセッサに、少なくとも１つのキャリアの第１のセットを介して、前記ＵＥから第１のノードに前記第１のフロー内のパケットを送らせるためのコードと、
前記少なくとも１つのプロセッサに、少なくとも１つのキャリアの第２のセットを介して、前記ＵＥから第２のノードに前記第２のフロー内のパケットを送らせるためのコードと
を備える、非一時的コンピュータ可読媒体を備え、前記第２のフロー内の前記パケットは、前記第２のノードから前記第１のノードに転送され、少なくとも１つのキャリアの前記第１および第２のセットは、前記ＵＥのために構成された複数のキャリアに基づいて決定される、
コンピュータプログラム製品。
[Ｃ４４]  ワイヤレス通信のための方法であって、
少なくとも１つのキャリアの第１のセットを介してユーザ機器（ＵＥ）から第１のノードに送られた第１のフロー内のパケットを受信することと、
少なくとも１つのキャリアの第２のセットを介して前記ＵＥから第２のノードに送られた第２のフロー内のパケットを受信すること、前記第２のフロー内の前記パケットが処理され、次いで前記第２のノードから前記第１のノードに転送され、少なくとも１つのキャリアの前記第１および第２のセットが、前記ＵＥのために構成された複数のキャリアに基づいて決定される、と、
前記第１のフロー内の前記パケットと前記第２のフロー内の前記パケットとをアグリゲートすることと、
前記ＵＥについてのデータを得るために、前記アグリゲートしたパケットを処理することと
を備える、方法。
[Ｃ４５]  前記アグリゲートしたパケットは、無線リンク制御（ＲＬＣ）パケットを備え、前記アグリゲートしたパケットを前記処理することは、前記ＵＥについての前記データを得るために、前記ＲＬＣパケットをパケットデータ収束プロトコル（ＰＤＣＰ）について処理することを備える、
Ｃ４４に記載の方法。
[Ｃ４６]  前記第１のフロー内のＲＬＣパケットを得るために、前記ＵＥからの少なくとも１つのアップリンク信号を物理レイヤ（ＰＨＹ）、メディアアクセス制御（ＭＡＣ）、およびＲＬＣについて処理することをさらに備える、
Ｃ４５に記載の方法。
[Ｃ４７]  前記アグリゲートしたパケットがメディアアクセス制御（ＭＡＣ）パケットを備え、前記アグリゲートしたパケットを前記処理することが、前記ＵＥについての前記データを得るために、前記ＭＡＣパケットを無線リンク制御（ＲＬＣ）およびパケットデータ収束プロトコル（ＰＤＣＰ）について処理することを備える、
Ｃ４４に記載の方法。
[Ｃ４８]  前記第１のフロー内のＭＡＣパケットを得るために、前記ＵＥからの少なくとも１つのアップリンク信号を物理レイヤ（ＰＨＹ）およびＭＡＣについて処理することをさらに備える、
Ｃ４７に記載の方法。
[Ｃ４９]  ワイヤレス通信のための装置であって、
少なくとも１つのキャリアの第１のセットを介してユーザ機器（ＵＥ）から第１のノードに送られた第１のフロー内のパケットを受信することと、
少なくとも１つのキャリアの第２のセットを介して前記ＵＥから第２のノードに送られた第２のフロー内のパケットを受信すること、前記第２のフロー内の前記パケットは、処理され、次いで前記第２のノードから前記第１のノードに転送され、少なくとも１つのキャリアの前記第１および第２のセットが、前記ＵＥのために構成された複数のキャリアに基づいて決定される、と、
前記第１のフロー内の前記パケットと前記第２のフロー内の前記パケットとをアグリゲートすることと、
前記ＵＥについてのデータを得るために、前記アグリゲートしたパケットを処理することと
を行うように構成された少なくとも１つのプロセッサを備える、
装置。
[Ｃ５０]  前記アグリゲートしたパケットは、無線リンク制御（ＲＬＣ）パケットを備え、前記アグリゲートしたパケットを処理することを行うための前記少なくとも１つのプロセッサの前記構成は、前記ＵＥについての前記データを得るために、前記ＲＬＣパケットをパケットデータ収束プロトコル（ＰＤＣＰ）について処理することを行うための構成を備える、
Ｃ４９に記載の装置。
[Ｃ５１]  前記アグリゲートしたパケットは、メディアアクセス制御（ＭＡＣ）パケットを備え、前記アグリゲートしたパケットを処理することを行うための前記少なくとも１つのプロセッサの前記構成は、前記ＵＥについての前記データを得るために、前記ＭＡＣパケットを無線リンク制御（ＲＬＣ）およびパケットデータ収束プロトコル（ＰＤＣＰ）について処理することを行うための構成を備える、
Ｃ４９に記載の装置。
[Ｃ５２]  ワイヤレス通信のための装置であって、
少なくとも１つのキャリアの第１のセットを介してユーザ機器（ＵＥ）から第１のノードに送られた第１のフロー内のパケットを受信するための手段と、
少なくとも１つのキャリアの第２のセットを介して前記ＵＥから第２のノードに送られた第２のフロー内のパケットを受信するための手段、前記第２のフロー内の前記パケットは、処理され、次いで前記第２のノードから前記第１のノードに転送され、少なくとも１つのキャリアの前記第１および第２のセットは、前記ＵＥのために構成された複数のキャリアに基づいて決定される、と、
前記第１のフロー内の前記パケットと前記第２のフロー内の前記パケットとをアグリゲートするための手段と、
前記ＵＥについてのデータを得るために、前記アグリゲートしたパケットを処理するための手段と
を備える、装置。
[Ｃ５３]  少なくとも１つのプロセッサに、少なくとも１つのキャリアの第１のセットを介してユーザ機器（ＵＥ）から第１のノードに送られた第１のフロー内のパケットを受信させるためのコードと、
前記少なくとも１つのプロセッサに、少なくとも１つのキャリアの第２のセットを介して前記ＵＥから第２のノードに送られた第２のフロー内のパケットを受信させるためのコード、前記第２のフロー内の前記パケットは、処理され、次いで前記第２のノードから前記第１のノードに転送され、少なくとも１つのキャリアの前記第１および第２のセットは、前記ＵＥのために構成された複数のキャリアに基づいて決定される、と、
前記少なくとも１つのプロセッサに、前記第１のフロー内の前記パケットと前記第２のフロー内の前記パケットとをアグリゲートさせるためのコードと、
前記少なくとも１つのプロセッサに、前記ＵＥについてのデータを得るために、前記アグリゲートしたパケットを処理させるためのコードと
を備える非一時的コンピュータ可読媒体を備える、
コンピュータプログラム製品。
[Ｃ５４]  ワイヤレス通信のための方法であって、
少なくとも１つのキャリアの第１のセットを介してダウンリンクデータチャネル上で第１のセルからユーザ機器（ＵＥ）に送られたダウンリンクデータを受信することと、
少なくとも１つのキャリアの第２のセットを介してアップリンクデータチャネル上で前記ＵＥから第２のセルにアップリンクデータを送ることと
を備える、方法。
[Ｃ５５]  少なくとも１つのキャリアの前記第１のセットは、少なくとも１つのキャリアの前記第２のセットとは異なる、
Ｃ５４に記載の方法。
[Ｃ５６]  前記ＵＥが複数のキャリアで構成され、少なくとも１つのキャリアの前記第１のセットおよび少なくとも１つのキャリアの前記第２のセットは、前記ＵＥのために構成された前記複数のキャリアに基づいて決定される、
Ｃ５４に記載の方法。
[Ｃ５７]  前記複数のキャリアの各々は、少なくとも１つのキャリアの前記第１および第２のセットのうちの多くても１つの中に含まれる、
Ｃ５６に記載の方法。
[Ｃ５８]  前記ＵＥは、前記第２のセルについてのダウンリンクデータチャネルでは構成されない、
Ｃ５４に記載の方法。
[Ｃ５９]  前記ＵＥから前記第１のセルにアップリンク制御チャネル上でアップリンク制御情報（ＵＣＩ）を送ることをさらに備える、
Ｃ５４に記載の方法。
[Ｃ６０]  前記ＵＣＩは、前記第１のセルから受信した前記ダウンリンクデータについての肯定応答／否定応答（ＡＣＫ／ＮＡＣＫ）、またはチャネル状態情報（ＣＳＩ）、またはその両方を備える、
Ｃ５９に記載の方法。
[Ｃ６１]  第１のダウンリンク制御チャネル上で前記第１のセルから前記ＵＥに送られた第１のダウンリンク制御情報（ＤＣＩ）を受信すること、前記第１のＤＣＩは、前記ダウンリンクデータチャネル上でのダウンリンクデータ送信について前記ＵＥをスケジューリングするダウンリンクグラントを備える、と、
第２のダウンリンク制御チャネル上で前記第２のセルから前記ＵＥに送られた第２のＤＣＩを受信することと
をさらに備え、前記第２のＤＣＩは、前記アップリンクデータチャネル上でのアップリンクデータ送信について前記ＵＥをスケジューリングするアップリンクグラントを備える、
Ｃ５４に記載の方法。
[Ｃ６２]  前記第２のセルに送られた前記アップリンクデータについての肯定応答／否定応答（ＡＣＫ／ＮＡＣＫ）を受信することをさらに備え、前記ＡＣＫ／ＮＡＣＫは、前記第２のセルによってダウンリンク制御チャネル上で前記ＵＥに送られる、
Ｃ５４に記載の方法。
[Ｃ６３]  ワイヤレス通信のための装置であって、
少なくとも１つのキャリアの第１のセットを介してダウンリンクデータチャネル上で第１のセルからユーザ機器（ＵＥ）に送られるダウンリンクデータを受信することと、
少なくとも１つのキャリアの第２のセットを介してアップリンクデータチャネル上で前記ＵＥから第２のセルにアップリンクデータを送ることと
を行うように構成された少なくとも１つのプロセッサを備える、
装置。
[Ｃ６４]  少なくとも１つのキャリアの前記第１のセットは、少なくとも１つのキャリアの前記第２のセットとは異なる、
Ｃ６３に記載の装置。
[Ｃ６５]  前記ＵＥは、複数のキャリアで構成され、少なくとも１つのキャリアの前記第１のセットおよび少なくとも１つのキャリアの前記第２のセットは、前記ＵＥのために構成された前記複数のキャリアに基づいて決定される、
Ｃ６３に記載の装置。
[Ｃ６６]  前記複数のキャリアの各々は、少なくとも１つのキャリアの前記第１および第２のセットのうちの多くても１つの中に含まれる、
Ｃ６５に記載の装置。
[Ｃ６７]  前記ＵＥは、前記第２のセルについてのダウンリンクデータチャネルでは構成されない、
Ｃ６３に記載の装置。
[Ｃ６８]  前記少なくとも１つのプロセッサは、前記ＵＥから前記第１のセルにアップリンク制御チャネル上でアップリンク制御情報（ＵＣＩ）を送るようにさらに構成される、
Ｃ６３に記載の装置。
[Ｃ６９]  前記少なくとも１つのプロセッサは、
第１のダウンリンク制御チャネル上で前記第１のセルから前記ＵＥに送られた第１のダウンリンク制御情報（ＤＣＩ）を受信すること、前記第１のＤＣＩは、前記ダウンリンクデータチャネル上でのダウンリンクデータ送信について前記ＵＥをスケジューリングするダウンリンクグラントを備える、と、
第２のダウンリンク制御チャネル上で前記第２のセルから前記ＵＥに送られた第２のＤＣＩを受信することと
を行うようにさらに構成され、前記第２のＤＣＩは、前記アップリンクデータチャネル上でのアップリンクデータ送信について前記ＵＥをスケジューリングするアップリンクグラントを備える、
Ｃ６３に記載の装置。
[Ｃ７０]  ワイヤレス通信のための装置であって、
少なくとも１つのキャリアの第１のセットを介してダウンリンクデータチャネル上で第１のセルからユーザ機器（ＵＥ）に送られたダウンリンクデータを受信するための手段と、
少なくとも１つのキャリアの第２のセットを介してアップリンクデータチャネル上で前記ＵＥから第２のセルにアップリンクデータを送るための手段と
を備える、装置。
[Ｃ７１]  少なくとも１つのプロセッサに、少なくとも１つのキャリアの第１のセットを介してダウンリンクデータチャネル上で第１のセルからユーザ機器（ＵＥ）に送られたダウンリンクデータを受信させるためにコードと、
前記少なくとも１つのプロセッサに、少なくとも１つのキャリアの第２のセットを介してアップリンクデータチャネル上で前記ＵＥから第２のセルにアップリンクデータを送らせるためのコードと
を備える、非一時的コンピュータ可読媒体を備える、
コンピュータプログラム製品。